(57)【要約】【課題】着色粘着フィルムの製造歩留まりを向上させる。【解決手段】着色粘着フィルムの製造方法は、グラファイトシートを保護する着色粘着フィルムをロールトゥロール方式により製造する方法である。着色粘着フィルムの製造方法は、２０μｍ以上８０μｍ以下の厚みを有する剥離フィルムの走行過程で上記剥離フィルムに、１μｍ以上５μｍ以下の厚みを有する粘着剤層を形成することにより、上記剥離フィルム及び上記粘着剤層を有する粘着剤層付き剥離フィルムを形成することを含む。上記粘着剤層付き剥離フィルムの走行過程で、上記粘着剤層に１μｍ以上６μｍ以下の厚みを有する樹脂フィルムが貼り合わされることにより、粘着剤層付き剥離フィルムに前記樹脂フィルムが貼り合わされた粘着フィルムが形成される。上記粘着フィルムの走行過程で、上記樹脂フィルムの上記粘着剤層とは反対面に着色層が形成される。【選択図】図４
2018104639.tif 000002
【特許請求の範囲】
【請求項１】
グラファイトシートを保護する着色粘着フィルムをロールトゥロール方式により製造する方法であって、
２０μｍ以上８０μｍ以下の厚みを有する剥離フィルムの走行過程で前記剥離フィルムに、１μｍ以上５μｍ以下の厚みを有する粘着剤層を形成することにより、前記剥離フィルム及び前記粘着剤層を有する粘着剤層付き剥離フィルムを形成し、
前記粘着剤層付き剥離フィルムの走行過程で、前記粘着剤層に１μｍ以上６μｍ以下の厚みを有する樹脂フィルムを貼り合わせることにより、粘着剤層付き剥離フィルムに前記樹脂フィルムが貼り合わされた粘着フィルムを形成し、
前記粘着フィルムの走行過程で、前記樹脂フィルムの前記粘着剤層とは反対側の表面に着色層を形成する
着色粘着フィルムの製造方法。
【請求項２】
請求項１に記載の着色粘着フィルムの製造方法であって、
前記粘着フィルムを形成する工程は、前記粘着剤層付き剥離フィルムと前記樹脂フィルムを貼り合わせる際に、５０Ｎ／ｃｍ２以上３００Ｎ／ｃｍ２以下のニップ圧を掛けて、前記樹脂フィルムを前記粘着剤層に貼り合わせることを含む
着色粘着フィルムの製造方法。
【請求項３】
請求項１または２に記載の着色粘着フィルムの製造方法であって、さらに、
前記粘着フィルムを形成した後に、前記粘着フィルムに５０Ｎ／ｍ以上４００Ｎ／ｍ以下の張力を掛けながら、前記粘着フィルムを巻き取る
着色粘着フィルムの製造方法。
【発明の詳細な説明】
【技術分野】
【０００１】
本発明は、着色粘着フィルムの製造方法に関する。
【背景技術】
【０００２】
携帯電話、ノート型パーソナルコンピュータ等の小型の電気製品においては、内部に設けた電子部品の放熱を促進させるため、放熱用のグラファイトシートが使用されている。グラファイトシートにおいては、その欠け、剥離等を防止するために、シート表面が着色粘着テープで保護される（例えば、特許文献１参照）。着色粘着テープについては、電気製品の小型化やグラファイトシートによる電子部品の放熱性を高めるため、その厚みをより薄くすることが望ましい。
【０００３】
着色粘着テープは、例えば、粘着剤層と、粘着剤層上に設けられた樹脂フィルムと、樹脂フィルム上に設けられた着色層とを具備する。粘着剤層は、例えば、グラファイトシートに接着する粘着剤層である。樹脂フィルムは、例えば、着色粘着テープの基材である。そして、着色層は、例えば、グラファイトシートの外観上の斑を目立たなくさせる遮蔽層として機能する。このような着色粘着テープは、例えば、剥離フィルムが貼り付けられた状態（以下、この状態を着色粘着フィルムとする。）で、例えば、ロールトゥロール方式により形成される。
【先行技術文献】
【特許文献】
【０００４】
【特許文献１】特開２０１３−２０３９６５号公報
【発明の概要】
【発明が解決しようとする課題】
【０００５】
しかしながら、着色粘着テープをより薄くしようとすると、基材である樹脂フィルムの厚みが必然的に薄くなる。このような薄い樹脂フィルムを含む着色粘着フィルムに着色層を塗布する際に、樹脂フィルムに皺または弛みが発生すると、着色粘着フィルムの製造歩留まりが減少する場合がある。
【０００６】
以上のような事情に鑑み、本発明の目的は、着色粘着フィルムの製造歩留まりを向上させる着色粘着フィルムの製造方法を提供することにある。
【課題を解決するための手段】
【０００７】
上記目的を達成するため、本発明の一形態に係る着色粘着フィルムの製造方法は、グラファイトシートを保護する着色粘着フィルムをロールトゥロール方式により製造する方法である。この着色粘着フィルムの製造方法は、２０μｍ以上８０μｍ以下の厚みを有する剥離フィルムの走行過程で上記剥離フィルムに、１μｍ以上５μｍ以下の厚みを有する粘着剤層を形成することにより、上記剥離フィルム及び上記粘着剤層を有する粘着剤層付き剥離フィルムを形成することを含む。上記粘着剤層付き剥離フィルムの走行過程で、上記粘着剤層に１μｍ以上６μｍ以下の厚みを有する樹脂フィルムが貼り合わされることにより、粘着剤層付き剥離フィルムに前記樹脂フィルムが貼り合わされた粘着フィルムが形成される。上記粘着フィルムの走行過程で、上記樹脂フィルムの上記粘着剤層とは反対面に着色層が形成される。
このような着色粘着フィルムの製造方法によれば、薄い上記樹脂フィルムに上記剥離フィルム及び上記粘着剤層が形成された厚い粘着フィルムが形成されて、上記粘着フィルムの上記樹脂フィルムの上記粘着剤層とは反対面に上記着色層が形成される。これにより、上記樹脂フィルムは、皺にならずまたは弛みにくくなり、上記着色粘着フィルムの製造歩留まりが向上する。
【０００８】
上記の着色粘着フィルムの製造方法においては、上記粘着フィルムを形成する工程において、前記粘着剤層付き剥離フィルムと前記樹脂フィルムを貼り合わせる際に、上記樹脂フィルムをニップ圧が５０Ｎ／ｃｍ２以上３００Ｎ／ｃｍ２以下で上記粘着剤層に貼り合わせてもよい。
このような着色粘着フィルムの製造方法によれば、上記樹脂フィルムはより皺が発生せずまたは弛みにくくなり、上記着色粘着フィルムの製造歩留まりが向上する。
【０００９】
上記の記載の着色粘着フィルムの製造方法においては、さらに、上記粘着フィルムを形成した後に、上記粘着フィルムに５０Ｎ／ｍ以上４００Ｎ／ｍ以下の張力を掛けながら、上記粘着フィルムが巻き取られてもよい。
このような着色粘着フィルムの製造方法によれば、上記の張力範囲で上記粘着フィルムが巻き取られることで、上記剥離フィルムの上記粘着剤層とは反対側に移行していた剥離剤が上記樹脂フィルムの着色層が形成される表面にさらに移行することが抑制される。これにより、一度巻き取られた上記粘着フィルムを再度繰り出しながら上記着色層の塗布液を塗布する際、上記着色層のはじきの発生を抑制できるため、均一なはじき欠陥のない上記着色層が形成さる。つまり、上記樹脂フィルムと上記着色層との間に剥離剤が混入しにくくなり、上記着色層が上記樹脂フィルムに密着よく均一に、効率よく塗布、形成される。
【発明の効果】
【００１０】
以上述べたように、本発明によれば、着色粘着フィルムの製造歩留まりが向上する。
【図面の簡単な説明】
【００１１】
【図１】図（ａ）は、本実施形態に係る着色粘着フィルムが捲回された状態の概略立体図である。図（ｂ）は、本実施形態に係る着色粘着フィルムの概略断面図である。
【図２】図（ａ）は、本実施形態に係る放熱用シートの概略立体図である。図（ｂ）は、本実施形態に係る放熱用シートの概略断面図である。
【図３】本実施形態に係る着色粘着テープ付のグラファイトシートが両面テープを介して筐体へ貼付された状態の概略断面図である。
【図４】図（ａ）及び図（ｂ）は、本実施形態に係る着色粘着フィルムを製造する製造装置の概略図である。
【図５】図（ａ）〜図（ｃ）は、本実施形態に係る着色粘着フィルムの製造工程を示す概略断面図である。
【図６】図（ａ）〜図（ｂ）は、本実施形態に係る着色粘着フィルムの製造工程を示す概略断面図である。
【図７】図（ａ）〜図（ｄ）は、比較例に係る着色粘着フィルムの製造工程を示す概略断面図である。
【発明を実施するための形態】
【００１２】
以下、図面を参照しながら、本発明の実施形態を説明する。各図面には、ＸＹＺ軸座標が導入される場合がある。
【００１３】
［着色粘着フィルムの構成］
【００１４】
図１（ａ）は、本実施形態に係る着色粘着フィルムが捲回された状態の概略立体図である。図１（ｂ）は、本実施形態に係る着色粘着フィルムの概略断面図である。
【００１５】
図１（ａ）に示すように、本実施形態に係る着色粘着フィルム２は、長尺シート状に構成されている。着色粘着フィルム２は、一軸方向において捲回できるフレキシブルな樹脂テープである。例えば、図１（ａ）の例では、着色粘着フィルム２は、長尺方向ＤＬにおいて、巻取ロール（巻取芯）３１０に巻かれている。巻取ロール３１０に巻かれた着色粘着フィルム２の長尺方向ＤＬにおける長さ（全長）は、例えば、６０００ｍ以上１００００ｍ以下である。例えば、巻取ロール３１０の直径は、６インチである。着色粘着フィルム２の長尺方向ＤＬにおける長さが６０００ｍの場合、巻取ロール３１０に巻かれた着色粘着フィルム２の直径は、約５２０ｍｍである。長尺方向ＤＬと直交する幅方向ＤＷ（短尺方向）における着色粘着フィルム２の長さは、例えば、８００ｍｍ以上１５００ｍｍ以下である。
【００１６】
巻取ロール３１０に巻かれた着色粘着フィルム２は、例えば、ロールツゥロール方式によって形成される。巻取ロール３１０に巻かれた着色粘着フィルム２は、所定の形状に切り出されて、例えば、グラファイトシートを保護する保護テープとして使用される。また、巻取ロール３１０に巻かれた着色粘着フィルム２は、幅方向ＤＷにおいて、例えば１００ｍｍの幅ごとに裁断され、幅方向ＤＷにおいて複数に分割されてもよい。分割された着色粘着フィルム２においては、再度、別の巻取ロールに巻き取られてもよい。例えば、直径が３インチの巻取ロールに巻かれ着色粘着フィルム２の長尺方向ＤＬにおける長さが１０００ｍの場合、着色粘着フィルム２の直径は、約２２０ｍｍである。なお、本実施形態の図では、幅方向ＤＷをＸ軸方向、長尺方向ＤＬをＹ軸方向としている。
【００１７】
着色粘着フィルム２の断面構造について、以下に説明する。
図１（ｂ）に示すように、着色粘着フィルム２は、樹脂フィルム１１と、着色層１２と、粘着剤層２０と、剥離剤層４０を含む剥離フィルム３０とを具備する。図１（ｂ）の例では、着色粘着フィルム２は、剥離フィルム３０／粘着剤層２０／樹脂フィルム１１／着色層１２の順に積層されている。
【００１８】
着色粘着フィルム２においては、剥離フィルム３０と粘着剤層２０との界面から剥離フィルム３０を剥がすことができる。着色粘着フィルム２において、剥離フィルム３０には、粘着剤層２０の側に、剥離剤層４０が形成されている。すなわち、剥離フィルム３０は、剥離剤層４０付の剥離フィルムである。本実施形態では、剥離フィルム３０が着色粘着フィルム２から剥がされた構成を着色粘着テープ１とする。着色粘着テープ１は、樹脂フィルム１１と、着色層１２と、粘着剤層２０とを具備する。
【００１９】
着色層１２は、粘着剤層２０とは反対側の樹脂フィルム１１の表面に設けられている。樹脂フィルム１１は、着色層１２と粘着剤層２０との間に設けられている。粘着剤層２０は、樹脂フィルム１１と剥離フィルム３０との間に設けられている。剥離フィルム３０は、樹脂フィルムとは反対側の粘着剤層２０の表面に設けられている。
【００２０】
着色粘着フィルム２において、Ｚ軸方向に隣り合う層同士は、直接的に接してもよく、間接的に接してもよい。間接的に接する場合には、Ｚ軸方向に隣り合う層間に、密着性等を向上させる中間層（不図示）が介在してもよい。また、着色粘着フィルム２における各層は単層でもよく、複数の層から構成されてもよい。また、着色粘着フィルム２においては、着色層１２上に、グラファイトシートの光沢を抑制する粗面化層（不図示）が設けられてもよい。さらに、着色粘着フィルム２においては、粗面化層を介して着色粘着フィルム２を保護するプロテクトテープが設けられてもよい（後述）。
【００２１】
着色粘着テープ１において、剥離フィルム３０の厚みは、２０μｍ以上８０μｍ以下である。ここで、本実施形態における厚みとは、後述する複数点から測定された厚みの平均値である。剥離フィルム３０の厚みが２０μｍ以上８０μｍ以下に設定される理由については後述する。
【００２２】
粘着剤層２０の厚みは、１μｍ以上５μｍ以下である。粘着剤層２０の厚みが１μｍ未満であると、粘着剤層２０とグラファイトシートとの密着性が低く、グラファイトシートを十分に保護することが困難となる場合がある。粘着剤層２０の厚みが５μｍを超えると、着色粘着フィルム２が厚くなり薄型化の要求を満たさない。
【００２３】
樹脂フィルム１１の厚みは、剥離フィルム３０より薄く構成されている。樹脂フィルム１１の厚みは、剥離フィルム３０の１／５以下に構成されている。例えば、樹脂フィルム１１の厚みは、１μｍ以上６μｍ以下である。樹脂フィルム１１の厚みが１μｍ未満であると、樹脂フィルム１１の強度が低くなり、ロールトゥロール方式によって搬送することが困難となる。樹脂フィルム１１の厚みが６μｍを超えると、着色粘着フィルム２が厚くなり薄型化の要求を満たさない。
【００２４】
着色層１２の厚みは、例えば、０．５μｍ以上５μｍ以下である。着色層１２の厚みが０．５μｍ未満であると、樹脂フィルム１１と着色層１２と合わせた粘着フィルムの全光線透過率が高くなり、着色粘着フィルム２がグラファイトシートの遮蔽層として機能しなくなることがある。また、着色層１２の厚みが５μｍを超えると、着色粘着フィルム２が厚くなり薄型化の要求を満たさない。
【００２５】
剥離フィルム３０が剥がされ、着色粘着テープ１にプロテクトテープ及びグラファイトシート等が付設された放熱用シートの構造を以下に説明する。
【００２６】
図２（ａ）は、本実施形態に係る放熱用シートの概略立体図である。図２（ｂ）は、本実施形態に係る放熱用シートの概略断面図である。
【００２７】
放熱用シート６０は、着色粘着テープ１と、グラファイトシート１００と、両面テープ１０１と、剥離フィルム３１と、プロテクトテープ３５とを具備する。両面テープ１０１は、粘着剤層１０１ａ、１０１ｃと、粘着剤層１０１ａと粘着剤層１０１ｃとの間に設けられた樹脂フィルム１０１ｂとを有する。プロテクトテープ３５は、プロテクト用樹脂フィルム３２と、粘着剤層３３とを有する。図２（ｂ）の例では、放熱用シート６０において、剥離フィルム３１／両面テープ１０１／グラファイトシート１００／着色粘着テープ１／プロテクトテープ３５の順に積層されている。図２（ａ）に示すように、剥離フィルム３１とプロテクトテープ３５とに挟まれた領域Ｓ１に、両面テープ１０１／グラファイトシート１００／着色粘着テープ１が配置されている。
【００２８】
両面テープ１０１は、剥離フィルム３１の表面に設けられている。両面テープ１０１は、剥離フィルム３１とグラファイトシート１００との間に設けられている。グラファイトシート１００は、両面テープ１０１と着色粘着テープ１との間に設けられている。着色粘着テープ１は、両面テープ１０１とは反対側のグラファイトシート１００の表面に設けられている。プロテクトテープ３５は、グラファイトシート１００とは反対側の着色粘着テープ１の表面に設けられている。
【００２９】
また、プロテクト用樹脂フィルム３２には、タブ部３２ｔと、ミシン目３２ｐとが設けられている。プロテクト用樹脂フィルム３２において、ミシン目３２ｐを基点にタブ部３２ｔが折り曲げられる。これにより、タブ部３２ｔを摘みやすくなり、タブ部３２ｔを起点にプロテクトテープ３５を着色粘着テープ１から剥がすことができる。
【００３０】
図３は、本実施形態に係る着色粘着テープ付のグラファイトシートが両面テープを介して筐体へ貼付された状態の概略断面図である。
【００３１】
図３に示すように、剥離フィルム３０が剥がされた着色粘着テープ１は、例えば、粘着剤層２０を介してグラファイトシート１００に貼り付けられる。グラファイトシート１００は、両面テープ１０１を介して筐体１０２に貼り付けられている。
【００３２】
図３に示す状態で、着色層１２の上方に、熱源（例えば、電子部品）が配置された場合、熱源から放出された熱が着色層１２、樹脂フィルム１１及び粘着剤層２０を経由して、グラファイトシート１００にまで到達する。ここで、図３に示す着色粘着テープ１は、その厚みが２．５μｍ以上１６μｍ以下であり、極薄の着色粘着テープになっている。これにより、着色粘着テープ１上の熱源から放出された熱は、着色粘着テープ１によって遮られにくくなり、グラファイトシート１００にまで確実に到達する。グラファイトシート１００にまで到達した熱は、グラファイトシート１００内においてＺ軸方向に拡散するとともに、Ｘ軸方向及びＹ軸方向にも拡散する。これにより、電子部品から発せられた熱は、効率よく放熱される。
【００３３】
また、着色粘着テープ１は、極薄であるため、小型の電気製品の内部スペースを害することなく、電気製品内に配置できる。さらに、着色粘着テープ１には、着色層１２が設けられているため、グラファイトシート１００の見栄えが良好になる。
【００３４】
但し、着色粘着テープ１においては、樹脂フィルム１１が剥離フィルム３０よりも薄く構成されている。このため、樹脂フィルム１１を出発点として樹脂フィルム１１に樹脂フィルム１１以外の層（粘着剤層２０、着色層１２）を形成すると、樹脂フィルム１１が薄い分、樹脂フィルム１１に皺または弛みが発生する可能性がある。このような現象を抑制するために、本実施形態では、着色粘着フィルム２の構成において最も厚みが厚い剥離フィルム３０を出発点として着色粘着フィルム２を形成している（後述）。
【００３５】
着色粘着フィルム２における各層の材料、物性値の測定方法は、以下の通りである。
【００３６】
［樹脂フィルム］
樹脂フィルムに使用する樹脂種は特に制限されないが、例えば、ポリエチレンテレフタレート、ポリブチレンテレフタレート、ポリエチレンナフタレート等のポリエステルからなるポリエステルフィルム、ポリウレタンフィルム、ポリエチレンフィルム、ポリプロピレンフィルム、トリアセチルセルロース等のセルロースフィルム、ポリ塩化ビニルフィルム、ポリ塩化ビニリデンフィルム、ポリビニルアルコールフィルム、エチレン−酢酸ビニル共重合体フィルム、ポリスチレンフィルム、ポリカーボネートフィルム、アクリル樹脂フィルム、ノルボルネン系樹脂フィルム、シクロオレフィン樹脂フィルム等の樹脂フィルム；これらの２種以上の積層体などをあげることができる。樹脂フィルムは、一軸延伸または二軸延伸されたものでもよい。これらの中でも、薄膜化に伴って要求される厚みの精度、表面平滑性、入手の容易さ等の観点から、ポリエステルフィルムが好ましい。ポリエステルフィルムとしては各種のポリエステルフィルムが使用できるが、具体的には、例えば、ポリエチレンテレフタレート（ＰＥＴ）フィルム、ポリエチレンナフタレート（ＰＥＮ）フィルム、ポリブチレンテレフタレート（ＰＢＴ）フィルムを単独或いは共重合したフィルムが使用できる。特にＰＥＴフィルムが好ましい。また、ポリエステルフィルムは寸法安定性・強度の点から二軸延伸したフィルムが好ましい。その中でも、二軸延伸したＰＥＴフィルムが好ましい。
【００３７】
［着色層］
着色層は、着色粘着テープが貼付される電子部品の色に合わせて、または調和する色で着色されていれば特に限定されるものではないが、隠蔽性等の点から黒の着色材料を含有する層であることが好ましい。
【００３８】
着色層は、着色材料と、バインダ樹脂を含有することが好ましい。バインダ樹脂として、例えば、ウレタン樹脂、エポキシ樹脂、ポリエステル樹脂、ポリエステルウレタン樹脂等があげられる。これらは単独で用いられてもよく、２種類以上が併用されてもよい。中でも、柔軟性が優れていることから、ポリエステルウレタン樹脂が好ましい。上記ポリエステルウレタン樹脂は、ガラス転移温度（Ｔｇ）が−３０以上１０℃以下であることが好ましい。
【００３９】
着色層は、硬化剤により硬化されていることが好ましい。硬化剤は特に限定されず、バインダ樹脂に合わせて適宜選択される。バインダ樹脂がポリエステルウレタン樹脂の場合、硬化剤として、例えば、イソシアネート硬化剤等があげられる。なお、ポリエステルウレタン樹脂に水酸基又はイソシアネート基が存在する場合は、硬化剤としてアミン硬化剤を用いてもよい。これらは単独で用いられてもよく、２種類以上が併用されてもよい。
【００４０】
着色材料としては、公知慣用の顔料や染料を使用することができ、黒の場合はカーボンブラック、白の場合は酸化チタン、炭酸カルシウム、硫酸バリウム、黄色の場合は黄色酸化鉄、赤の場合はべんがら、青の場合はシアニンブルー、銀の場合はアルミニウム粉、パールの場合は雲母チタン粉が、耐候性、耐熱性、バインダ樹脂に対する分散性から好ましい。中でも、カーボンブラックが隠蔽性に優れるため好ましい。
【００４１】
着色層は、必要に応じて、さらに、透明樹脂（メジウム）、酸化防止剤、紫外線吸収剤、光安定剤等の添加剤を含有してもよい。
【００４２】
［粘着剤層］
着色粘着テープの粘着剤層を形成する粘着剤としては、特に制限されず、例えば、アクリル系粘着剤、ゴム系粘着剤、シリコーン系粘着剤、ウレタン系粘着剤、ポリエステル系粘着剤、スチレン−ジエンブロック共重合体系粘着剤などの公知の粘着剤から適宜選択して用いることができる。粘着剤は単独で又は２種以上組み合わせて使用することができる。
【００４３】
粘着剤としては、特にアクリル系粘着剤が、接着信頼性が高いことから好適に用いることができる。アクリル系粘着剤は、アクリル系ポリマーを粘着性成分又は主剤とし、これに必要に応じて、架橋剤、粘着付与剤、軟化剤、可塑剤、充填剤、老化防止剤、着色剤などの適宜な添加剤が含まれている。アクリル系ポリマーは、（メタ）アクリル酸アルキルエステルを単量体主成分とするポリマーであり、必要に応じて（メタ）アルキルエステルに対して共重合が可能な単量体（共重合性単量体）を用いることにより調製されている。（メタ）アクリル酸アルキルエステルとしては、例えば、（メタ）アクリル酸メチル、（メタ）アクリル酸エチル、（メタ）アクリル酸プロピル、（メタ）アクリル酸イソプロピル、（メタ）アクリル酸ブチル、（メタ）アクリル酸イソブチル、（メタ）アクリル酸ｓ−ブチル、（メタ）アクリル酸ｔ−ブチル、（メタ）アクリル酸ペンチル、（メタ）アクリル酸ヘキシル、（メタ）アクリル酸ヘプチル、（メタ）アクリル酸オクチル、（メタ）アクリル酸２−エチルヘキシル、（メタ）アクリル酸イソオクチル、（メタ）アクリル酸ノニル、（メタ）アクリル酸イソノニル、（メタ）アクリル酸デシル、（メタ）アクリル酸イソデシル、（メタ）アクリル酸ウンデシル、（メタ）アクリル酸ドデシル、（メタ）アクリル酸トリデシル、（メタ）アクリル酸テトラデシル、（メタ）アクリル酸ペンタデシル、（メタ）アクリル酸ヘキサデシル、（メタ）アクリル酸ヘプタデシル、（メタ）アクリル酸オクタデシル、（メタ）アクリル酸ノナデシル、（メタ）アクリル酸エイコシルなどの（メタ）アクリル酸Ｃ１−２０アルキルエステル［好ましくは（メタ）アクリル酸Ｃ４−１８アルキル（直鎖状又は分岐鎖状のアルキル）エステル］などがあげられる。（メタ）アクリル酸アルキルエステルは、目的とする粘着性などに応じて適宜選択することができる。
【００４４】
また、前記（メタ）アルキルエステルに対して共重合可能な共重合性単量体としては、例えば、（メタ）アクリル酸、イタコン酸、マレイン酸、フマル酸、クロトン酸、イソクロトン酸などのカルボキシル基含有単量体又はその無水物；ビニルスルホン酸ナトリウムなどのスルホン酸基含有単量体；スチレン、置換スチレンなどの芳香族ビニル化合物；アクリロニトリルなどのシアノ基含有単量体；エチレン、プロピレン、ブタジエンなどのオレフィン類；酢酸ビニルなどのビニルエステル類；塩化ビニル；アクリルアミド、メタアクリルアミド、Ｎ−ビニルピロリドン、Ｎ、Ｎ−ジメチル（メタ）アクリルアミドなどのアミド基含有単量体；（メタ）アクリル酸ヒドロキシアルキル、グリセリンジメタクリレートなどのヒドロキシル基含有単量体；（メタ）アクリル酸アミノエチル、（メタ）アクリロイルモルホリンなどのアミノ基含有単量体；シクロヘキシルマレイミド、イソプロピルマレイミドなどのイミド基含有単量体；（メタ）アクリル酸グリシジル、（メタ）アクリル酸メチルグリシジルなどのエポキシ基含有単量体；２−メタクリロイルオキシエチルイソシアネートなどのイソシアネート基含有単量体の他、トリエチレングリコールジ（メタ）アクリレート、ジエチレングリコールジ（メタ）アクリレート、エチレングリコールジ（メタ）アクリレート、テトラエチレングリコールジ（メタ）アクリレート、ネオペンチルグリコールジ（メタ）アクリレート、１、６−ヘキサンジオールジ（メタ）アクリレート、トリメチロールプロパントリ（メタ）アクリレート、ペンタエリスリトールトリ（メタ）アクリレート、ジペンタエリスリトールヘキサ（メタ）アクリレート、ジビニルベンゼンなどの多官能性の共重合性単量体（多官能モノマー）などがあげられる。共重合性単量体は単独で又は２種以上組み合わせて使用することができる。共重合性単量体としては、ヒドロキシル基やカルボキシル基などの官能基を有する改質用モノマーを好適に用いることができる。
【００４５】
（メタ）アクリル酸アルキルエステル共重合体は、官能基を有する改質用モノマーを０．１〜２０質量％含有することが好まししく、特に１〜１０質量％含有することが好ましい。
【００４６】
（メタ）アクリル酸アルキルエステル共重合体の重量平均分子量は２０万〜２００万であることが好ましく、特に５０万〜１５０万であることが好ましい。なお、本明細書における重量平均分子量は、ゲルパーミエーションクロマトグラフィー（ＧＰＣ）法により測定したポリスチレン換算の値である。
【００４７】
架橋剤としては、（メタ）アクリル酸アルキルエステル共重合体が有する反応性基と反応するものであればよく、例えば、イソシアネート系架橋剤、エポキシ系架橋剤、アミン系架橋剤、メラミン系架橋剤、アジリジン系架橋剤、ヒドラジン系架橋剤、アルデヒド系架橋剤、オキサゾリン系架橋剤、金属アルコキシド系架橋剤、金属キレート系架橋剤、金属塩系架橋剤、アンモニウム塩系架橋剤等があげられ、中でも水酸基及びカルボキシル基との反応性に優れるイソシアネート系架橋剤が好ましい。架橋剤は、１種を単独で、または２種以上を組み合わせて使用することができる。
【００４８】
イソシアネート系架橋剤は、少なくともポリイソシアネート化合物を含むものである。ポリイソシアネート化合物としては、例えば、トリレンジイソシアネート、ジフェニルメタンジイソシアネート、キシリレンジイソシアネート等の芳香族ポリイソシアネート、ヘキサメチレンジイソシアネート等の脂肪族ポリイソシアネート、イソホロンジイソシアネート、水素添加ジフェニルメタンジイソシアネート等の脂環式ポリイソシアネートなど、及びそれらのビウレット体、イソシアヌレート体、さらにはエチレングリコール、プロピレングリコール、ネオペンチルグリコール、トリメチロールプロパン、ヒマシ油等の低分子活性水素含有化合物との反応物であるアダクト体などがあげられ、中でも（メタ）アクリル酸アルキルエステル重合体の反応性基との反応性の点から、トリメチロールプロパン変性の芳香族ポリイソシアネート、特にトリメチロールプロパン変性キシリレンジイソシアネート及びトリメチロールプロパン変性トリレンジイソシアネートが好ましい。
【００４９】
架橋剤の配合量は、（メタ）アクリル酸アルキルエステル共重合体１００質量部に対して、０．１〜２０質量部であることが好ましく、特に１〜１０質量部であることが好ましい。架橋剤の配合量が上記の範囲にあると、後述する粘着剤のゲル分率を好ましい範囲に制御しやすくなる。
【００５０】
また、粘着剤層の粘着力を向上させるため、粘着付与樹脂を添加することも好ましい。また、これら粘着付与樹脂を添加することで、引張強度や引張破断強度を高くすることができることから、使用するアクリル系共重合体に応じて、粘着付与樹脂を適宜添加することで、引張強度や引張破断強度を調整できる。本発明の両面着色粘着テープの粘着剤層に添加する粘着付与樹脂としては、例えば、ロジンやロジンのエステル化合物等のロジン系樹脂；ジテルペン重合体やα−ピネン−フェノール共重合体等のテルペン系樹脂；脂肪族系（Ｃ５系）や芳香族系（Ｃ９）等の石油樹脂；その他、スチレン系樹脂、フェノール系樹脂、キシレン樹脂等があげられる。その中でもｎ−ブチル（メタ）アクリレートを主なモノマー成分とするアクリル系共重合体を使用した粘着剤組成物においては、薄型で粘着力と耐熱性を両立させるに際し、ロジン系樹脂とスチレン系樹脂を混合して使用することが好ましい。
【００５１】
また、粘着剤層は、所望により、シランカップリング剤、帯電防止剤、酸化防止剤、紫外線吸収剤、光安定剤、軟化剤、充填剤、屈折率調整剤、染料、顔料、防錆剤などを含有してもよい。
【００５２】
［剥離フィルム］
剥離フィルムは、フィルム基材及びこのフィルム基材上に設けられた剥離剤層を有している。フィルム基材としては、ポリエチレンテレフタレート、ポリブチレンテレフタレート、ポリエチレンナフタレート等のポリエステルからなるポリエステルフィルム、ポリエチレン、ポリプロピレン、ポリメチルペンテン等のポリオレフィンからなるポリオレフィンフィルム、ポリカーボネートフィルム、ポリ酢酸ビニルフィルムなどのプラスチックフィルムのいずれか、または、これらの２種以上の材料層からなる積層体などをあげることができる。
【００５３】
剥離剤層は、例えば、剥離剤を含む剥離剤層形成用組成物の硬化物で形成される。剥離剤層形成用組成物としては、剥離剤層上に積層される任意の層を剥離フィルムから剥離させる機能を剥離剤層に付与できるものであれば特に制限はない。剥離剤としては、例えばシリコーン樹脂、長鎖アルキル樹脂、及びアルキド樹脂などがあげられる。
【００５４】
シリコーン系剥離剤としては、付加反応型シリコーン、縮合反応型シリコーン、エネルギー線硬化性シリコーンがあげられる。また、剥離力を調整するために、無官能のポリジメチルシロキサン、フェニル変性シリコーン、シリコーンレジン、シリカ、セルロース系化合物を添加剤として用いてもよい。
【００５５】
［全光線透過率の測定］
着色粘着テープの全光線透過率は、光透過率測定器により測定される。
【００５６】
＜厚みの測定＞
着色粘着フィルムの各層の厚み測定については、特に限定されないが、例えば、膜厚計によって機械的に求めることができる。
【００５７】
［着色粘着フィルムの製造方法］
図４（ａ）及び図４（ｂ）は、本実施形態に係る着色粘着フィルムを製造する製造装置の概略図である。本実施形態において、着色粘着フィルム２は、ロールトゥロール方式により製造される。着色粘着フィルム２は、例えば、大気中で製造される。図中の矢印ＤＲは、フィルムの走行方向を示す。走行方向ＤＲは、長尺方向ＤＬに対応している。まず、図４（ａ）に示す製造装置２００及び図４（ｂ）に示す製造装置３００の概要と、製造装置２００、３００を用いた着色粘着フィルム２の製造過程の概要を説明する。
【００５８】
図４（ａ）に示す製造装置２００は、ロール状の巻取駆動部２１０と、巻出ロール２１１と、塗布機構２２０と、乾燥室２３０と、貼付機構２４０と、ガイドロール２５０ａ、２５０ｂ、２５０ｃ、２５０ｄを具備する。塗布機構２２０は、ロール２２０ａと、ロール２２０ｂと、グラビアパン２２０ｃとを有する。グラビアパン２２０ｃ内には、粘着剤が充填されている。貼付機構２４０は、巻出ロール２４０ａ、ロール２４０ｂ、ロール２４０ｃを有する。製造装置２００においては、巻出ロール２１１の下流に塗布機構２２０が設けられ、塗布機構２２０の下流に乾燥室２３０が設けられ、乾燥室２３０の下流に貼付機構２４０が設けられている。巻出ロール２４０ａには、予め樹脂フィルム１１が巻かれている。
【００５９】
巻出ロール２１１に予め巻き取られた剥離フィルム３０は、剥離剤層付きの剥離フィルム３０である。すなわち、剥離フィルム３０の表面（粘着剤層２０が形成される表面）には、予め剥離剤層４０が形成されている。剥離フィルム３０は、巻出ロール２１１の自転により連続的に繰り出され、ガイドロール２５０ａを介して塗布機構２２０に導かれる。ここで、剥離フィルム３０の速度は、３０ｍ／ｍｉｎ以上８０ｍ／ｍｉｎ以下に設定される。剥離フィルム３０の厚みは、２０μｍ以上８０μｍ以下である。
【００６０】
塗布機構２２０は、例えば、粘着剤層２０を剥離フィルム３０に塗布するグラビア印刷機構（凹版印刷機構）を有する。塗布機構２２０によって、剥離フィルム３０上に粘着剤層２０が塗布される。粘着剤層２０が塗布された剥離フィルム３０の表面は、剥離フィルム３０が粘着剤層２０から剥がされる剥離フィルム３０の剥離処理面になる。
【００６１】
塗布機構２２０による処理がなされた粘着剤層２０付の剥離フィルム３０は、ガイドロール２５０ｂを介して乾燥室２３０に導かれる。乾燥室２３０内では、粘着剤層２０が熱風に晒され、所定の温度で乾燥される。乾燥後において、粘着剤層２０の厚みは、例えば、１μｍ以上５μｍ以下である。これにより、剥離フィルム３０と粘着剤層２０とを有する粘着剤層付き剥離フィルム５１が形成される。そして、乾燥室２３０による処理がなされた粘着剤層付き剥離フィルム５１は、ガイドロール２５０ｃを介して貼付機構２４０に導かれる。
【００６２】
貼付機構２４０に導かれた粘着剤層付き剥離フィルム５１の粘着剤層２０には、貼付機構２４０によって樹脂フィルム１１が貼り付けられる。樹脂フィルム１１の厚みは、１μｍ以上６μｍ以下である。例えば、粘着剤層付き剥離フィルム５１は、ロール２４０ｂとロール２４０ｃとの間に挟まれ、巻出ロール２４０ａから樹脂フィルム１１がロール２４０ｂとロール２４０ｃとの間に繰り出される。そして、粘着剤層付き剥離フィルム５１と樹脂フィルム１１とがロール２４０ｂとロール２４０ｃによる所定の圧力によりニップされ貼り付けられる。
【００６３】
これにより、樹脂フィルム１１が粘着剤層２０に貼り合わされ、剥離フィルム３０、粘着剤層２０及び樹脂フィルム１１を有する粘着フィルム５２が形成される。この後、粘着フィルム５２は、ガイドロール２５０ｄを介して、巻取駆動部２１０の自転により巻取駆動部２１０に連続的に巻き取られる。粘着フィルム５２が巻取駆動部２１０に巻き取られる際には、粘着フィルム５２に所定の張力を掛けることができる。この張力は、巻取駆動部２１０の巻取張力を変えることで調整される。
【００６４】
続いて、巻取駆動部２１０に巻き取られた粘着フィルム５２には、次の加工がなされる。
【００６５】
図４（ｂ）に示す製造装置３００は、巻取駆動部（巻取ロール）３１０と、巻出ロール３１１と、塗布機構３２０と、乾燥室３３０と、ガイドロール３５０ａ、３５０ｂ、３５０ｃ、前処理機構３６０とを具備する。塗布機構３２０は、ロール３２０ａと、ロール３２０ｂと、グラビアパン３２０ｃとを有する。グラビアパン３２０ｃ内には、着色層１２用の塗布液が充填されている。製造装置３００においては、巻出ロール３１１の下流に前処理機構３６０が設けられ、前処理機構３６０の下流に塗布機構３２０が設けられ、塗布機構３２０の下流に乾燥室３３０が設けられている。
【００６６】
巻出ロール３１１に設置された巻き取られた粘着フィルム５２は、巻出ロール３１１の自転により連続的に繰り出され、塗布機構３２０に導かれる前に、前処理機構３６０によってコロナ放電処理が施されてもよい。これにより、着色層１２の樹脂フィルム１１に対する密着性が向上する。続いて、粘着フィルム５２は、ガイドロール３５０ａを介して塗布機構３２０に導かれる。ここで、粘着フィルム５２の速度は、３０ｍ／ｍｉｎ以上８０ｍ／ｍｉｎ以下に設定される。塗布機構３２０は、例えば、着色層１２を粘着フィルム５２の樹脂フィルム１１に塗布するグラビア印刷機構を有する。塗布機構３２０により、樹脂フィルム１１に着色層１２が塗布される。
【００６７】
着色層１２の塗布液が塗布された粘着フィルム５２は、ガイドロール３５０ｂを介して乾燥室３３０に導かれる。そして、乾燥室３３０内で、着色層１２の塗布液が所定の温度で乾燥される。これにより、粘着フィルム５２の樹脂フィルム１１に着色層１２が設けられた着色粘着フィルム２が形成される。そして、着色粘着フィルム２は、ガイドロール３５０ｃを介して巻取駆動部３１０の自転により巻取駆動部３１０に連続的に巻き取られる。
【００６８】
また、本実施形態においては、製造装置２００と製造装置３００とを複合させた製造装置を用いて、剥離フィルム３０から着色粘着フィルム２を一括して製造されてもよい。
【００６９】
以上説明した着色粘着フィルム２の製造過程を断面図を用いて以下に説明する。本実施形態では、着色粘着フィルム２の構成のうち、厚みが最も厚い剥離フィルム３０を出発点として着色粘着フィルム２が形成される。
【００７０】
図５（ａ）〜図６（ｂ）は、本実施形態に係る着色粘着フィルムの製造工程を示す概略断面図である。
【００７１】
図５（ａ）に示すように、本実施形態では、厚みが樹脂フィルム１１よりも厚い剥離フィルム３０が予め準備される。剥離フィルム３０の表面には、剥離剤層４０が予め形成されている。剥離フィルム３０の厚みは、２０μｍ以上８０μｍ以下である。
【００７２】
次に、図５（ｂ）に示すように、剥離フィルム３０の剥離剤層面上に粘着剤層２０が形成される。例えば、剥離フィルム３０は、製造装置２００内で走行されながら、剥離フィルム３０に粘着剤層２０が塗布されて、これにより、剥離剤層４０が粘着剤層２０に接触するように、剥離フィルム３０上に粘着剤層２０が形成される。
【００７３】
この後、粘着剤層２０が乾燥室２３０で乾燥される。粘着剤層２０の厚みは、１μｍ以上５μｍ以下である。これにより、剥離フィルム３０と、粘着剤層２０とを有する粘着剤層付き剥離フィルム５１が形成される。なお、粘着剤層２０の塗布液の粘度は、乾燥室２３０で乾燥される前において１ｍＰａ・ｓ以上３０ｍＰａ・ｓ以下である。
【００７４】
次に、図５（ｃ）に示すように、粘着剤層２０に樹脂フィルム１１が貼り合わされる。例えば、粘着剤層付き剥離フィルム５１が製造装置２００内で走行されながら、粘着剤層付き剥離フィルム５１の粘着剤層２０に樹脂フィルム１１が貼り合わされる。樹脂フィルム１１の厚みは、１μｍ以上６μｍ以下である。これにより、粘着剤層付き剥離フィルム５１と樹脂フィルム１１とを有する粘着フィルム５２が形成される。
【００７５】
次に、図６（ａ）に示すように、樹脂フィルム１１の粘着剤層２０とは反対側の面に着色層１２が形成される。例えば、粘着フィルム５２が製造装置３００内で走行されながら、粘着フィルム５２の樹脂フィルム１１に着色層１２の塗布液が塗布される。この後、着色層１２の塗布液の溶媒が乾燥される。これにより、着色粘着フィルム２が形成される。着色層１２の厚みは、例えば、０．５μｍ以上５．０μｍ以下である。着色粘着フィルム２においては、剥離フィルム３０と粘着剤層２０とが接しているので、図６（ｂ）に示すように、剥離フィルム３０を着色粘着フィルム２から容易に剥すことができる。
【００７６】
このように、本実施形態では、剥離フィルム３０を出発点として、先に粘着フィルム５２を作製し、その粘着フィルム５２上に着色層１２が形成される。つまり、着色層１２を形成する際、加工対象として、樹脂フィルム１１よりも厚い粘着フィルム５２が用いられる。
【００７７】
また、本実施形態では、加工対象である粘着フィルム５２の機械的な強度も強くなって、粘着フィルム５２に高い張力を掛けることができる。これにより、製造工程で着色粘着フィルム２に皺または弛みが生じにくくなる。粘着フィルム５２に皺または弛みが生じにくくなると、均一な厚みの着色層１２が形成され、且つロール状に着色粘着フィルム２を巻き取った際にも巻ずれが起きにくくなる。
【００７８】
つまり、本実施形態によれば、着色粘着フィルム２の良品がより多く製造され、着色粘着フィルム２の製造歩留まりが向上する。
【００７９】
ここで、剥離フィルム３０の厚みが２０μｍよりも小さいと、粘着剤層付剥離フィルム５１及び粘着フィルム５２の機械的な強度が充分でなくなる。この場合、粘着剤層２０の形成時に粘着剤層２０の厚みに斑、粘着フィルム５２の皺、弛み、粘着フィルム５２の巻きずれ、粘着剤層２０と樹脂フィルム１１との間に空気が入るラミネート不良が生じる可能性がある。一方、剥離フィルム３０の厚みが８０μｍよりも大きいと、剥離フィルムのコストアップに伴う着色粘着フィルム自体の価格アップに繋がってしまう点や巻取りロール径は大きくなることで生産性が劣る可能性があり好ましくない。
【００８０】
また、本実施形態では、貼付機構２４０で粘着剤層付き剥離フィルム５１と樹脂フィルム１１とを貼り合わす際に貼付機構２４０によって粘着剤層付き剥離フィルム５１及び樹脂フィルム１１に所定の圧力によりニップされる。例えば、粘着剤層付き剥離フィルム５１及び樹脂フィルム１１に、５０Ｎ／ｃｍ２以上３００Ｎ／ｃｍ２以下、好ましくは５０Ｎ／ｃｍ２以上２００Ｎ／ｃｍ２以下、より好ましくは、５０Ｎ／ｃｍ２以上１５０Ｎ／ｃｍ２以下の圧力によりニップされて、樹脂フィルム１１が粘着剤層２０に貼り合わされる。
【００８１】
ここで、上記のニップ圧が５０Ｎ／ｃｍ２より小さくなると、例えば、粘着剤層２０と樹脂フィルム１１との間に空気が入るラミネート不良が発生したり、粘着フィルム５２に皺、弛みが発生したりする可能性があり好ましくない。一方、ニップ圧が３００Ｎ／ｃｍ２より大きくなると、例えば、ニップ圧が過剰になって粘着剤層２０が粘着フィルム端部からシミ出しが発生したり、シミ出した粘着剤が貼付機構２４０のロールを汚染したりする可能性があり好ましくない。これにより、上記のニップ圧は、５０Ｎ／ｃｍ２以上３００Ｎ／ｃｍ２以下、好ましくは５０Ｎ／ｃｍ２以上２００Ｎ／ｃｍ２以下、より好ましくは、５０Ｎ／ｃｍ２以上１５０Ｎ／ｃｍ２以下に設定されることが好ましい。
【００８２】
また、張力の具体的な設定は、以下の通りである。例えば、粘着フィルム５２を巻取駆動部２１０で巻き取る際に、粘着フィルム５２に、５０Ｎ／ｍ以上４００Ｎ／ｍ以下、好ましくは５０Ｎ／ｍ以上３５０Ｎ／ｍ以下、より好ましくは５０Ｎ／ｍ以上２５０Ｎ／ｍ以下の張力を掛けながら粘着フィルム５２が巻取駆動部２１０に巻き取られる。
【００８３】
例えば、上記の張力が５０Ｎ／ｍより小さくなると、粘着フィルム５２を巻取駆動部２１０に巻き取る際に、粘着フィルム５２に皺、弛みが発生したり、粘着フィルム５２の巻きずれが起こったりする可能性があり好ましくない。一方、上記の張力が４００Ｎ／ｍより大きくなると、以下に説明する現象が起きる。その現象を比較例として以下に説明する。
【００８４】
図７（ａ）〜図７（ｄ）は、比較例に係る着色粘着フィルムの製造工程を示す概略断面図である。
【００８５】
上述したように、剥離フィルム３０は、予めロール状に巻き取られた状態で使用されるまで保管されている。このため、剥離フィルム３０の裏面（剥離剤層４０が形成されていない面）３０ｄと、剥離フィルム３０の上面３０ｕに形成された剥離剤層４０とは、接触している。これにより、図７（ａ）に示すように、剥離フィルム３０の上面３０ｕから剥離フィルム３０の裏面３０ｄに微量な離型剤４０ａが移行する場合がある。この状態のロール状剥離フィルム３０が巻出ロール２１１から塗布機構２２０に繰り出される。
【００８６】
剥離フィルム３０が塗布機構２２０に繰り出されると、図７（ｂ）に示すように、剥離フィルム３０に剥離剤層４０を介して粘着剤層２０が形成される。これにより、剥離フィルム３０と、粘着剤層２０とを有する粘着剤層付き剥離フィルム５１が形成される。この後、粘着剤層付き剥離フィルム５１は、貼付機構２４０に走行され、図７（ｃ）に示すように、粘着剤層２０に樹脂フィルム１１が貼り合わされる。これにより、粘着剤層付き剥離フィルム５１と、樹脂フィルム１１とを有する粘着フィルム５２が形成される。続いて、粘着フィルム５２は、巻取駆動部２１０に巻き取られる
【００８７】
但し、粘着フィルム５２が巻取駆動部２１０に巻き取られると、剥離フィルム３０の裏面３０ｄと樹脂フィルム１１の上面１１ｕとが接触する。これにより、剥離フィルム３０の裏面３０ｄに移行していた剥離剤４０ａが樹脂フィルム１１の上面１１ｕにさらに移行してしまう場合がある。これにより、樹脂フィルム１１の上面１１ｕにも剥離剤４０ｂが付着する。
【００８８】
次に、樹脂フィルム１１に着色層１２の塗布液を塗布する際に、樹脂フィルム１１の上面１１ｕに移行している剥離剤４０ｂによって着色層１２の塗布液にはじきが発生し、着色層１２の塗布液の樹脂フィルム１１に対する濡れ性が悪くなる。これにより、図７（ｄ）に示すように、乾燥後の着色層１２の厚みが不均一になったり、はじきが発生することに起因して着色層１２が形成されていない箇所が発生したりする。これにより、着色粘着フィルムの製造歩留まりが低下する場合がある。
【００８９】
剥離剤４０ｂは、粘着フィルム５２が巻き取られる際の剥離フィルム３０の裏面３０ｄと、樹脂フィルム１１の上面１１ｕとの接触圧が高くなるほど、より移行されやすくなる。従って、剥離剤４０ｂの移行を抑制するには、粘着フィルム５２が巻取駆動部２１０に巻き取られる際の剥離フィルム３０の裏面３０ｄと樹脂フィルム１１の上面１１ｕとの接触圧を抑制すればよい。
【００９０】
このため、本実施形態では、粘着フィルム５２が巻取駆動部２１０に巻き取られる際には、粘着フィルム５２に掛けられる張力を４００Ｎ／ｍ以下、好ましくは３５０Ｎ／ｍ以下、より好ましくは２５０Ｎ／ｍ以下に抑制して、粘着フィルム５２を巻取駆動部２１０に巻き取っている。これにより、剥離フィルム３０の裏面３０ｄと樹脂フィルム１１の上面１１ｕとの接触圧が抑制され、離型剤４０ａの樹脂フィルム１１の上面１１ｕへの移行が抑制される。
【００９１】
つまり、上記の張力範囲で粘着フィルム５２が巻き取られることで、剥離フィルム３０の粘着剤層２０とは反対側に移行していた剥離剤が粘着フィルム５２の着色層１２が形成される樹脂フィルム表面にさらに移行することが抑制できる。これにより、一度巻き取られた粘着フィルム５２を再度繰り出しながら着色層１２の塗布液を塗布する際、着色層１２のはじき発生を抑制できるため、均一で、はじき欠陥のない着色層１２が形成できる。なお、張力の下限は、上述したように５０Ｎ／ｍにすることが好ましい。この結果、着色粘着フィルム２の製造歩留まりが向上する。
【００９２】
また、張力の下限を５０Ｎ／ｍにすることで、粘着フィルム５２を巻取る際に、粘着フィルム５２が蛇行することなく、粘着フィルム５２の断面が揃った形状で粘着フィルム５２が巻き取られる。
【００９３】
なお、剥離剤の転移量（移行量）は、蛍光Ｘ線分析法（ＸＲＦ）によって測定されるケイ素原子の測定値が８０ｃｐｓ以下であることが好ましく、６０ｃｐｓ以下であることがより好ましく、さらに４０ｃｐｓ以下であることが好ましい。転移量が８０ｃｐｓよりも大きくなると、着色層１２のはじきが発生する可能性があり、好ましくない。
【実施例】
【００９４】
以下、実施例等により本発明をさらに具体的に説明するが、本発明の範囲はこれらの実施例等に限定されるものではない。表１、２には、本実施形態に係る着色粘着テープの評価が示されている。
【００９５】
【表１】
2018104639.tif 000003
【００９６】
【表２】
2018104639.tif 000004
【００９７】
まず、表１に示す実施例１を説明する。
【００９８】
［実施例１］
【００９９】
＜粘着剤組成物の調製＞
アクリル酸ブチル９５．５質量部と、酢酸ビニル３質量部と、アクリル酸２−ヒドロキシエチル１質量部と、アクリル酸０．５質量部とを共重合させることにより、重量平均分子量１００万のアクリル酸エステル共重合体が製造される。次に、このアクリル酸エステル共重合体１００質量部（固形分換算；以下同じ）に対し、水添ロジンエステル（荒川化学工業社製、パインクリスタル ＫＥ−１００、軟化点：１００℃）２５質量部、重合ロジンエステル（荒川化学工業社製、ペンセル Ｄ−１３５、軟化点：１３５℃）４質量部及び石油系樹脂（三井化学社製、ＦＴＲ６１００、軟化点：９５℃）２４質量部が添加され、混合することで、粘着成分が形成された。粘着成分をトルエンに溶解し、固形分濃度１３質量％の粘着剤溶液が調製された。
【０１００】
＜着色層塗布液の調製＞
着色層用の塗布液は、固形分濃度５９質量％である大日精化工業社製、ＵＴＣＯ−５９１ブラック（ＮＸ）が用いられ、これが酢酸エチルで希釈され、固形分濃度１０質量％、粘度１５ｍＰa・ｓに調整された。
【０１０１】
＜粘着フィルムの製造＞
粘着剤組成物の固形分１００質量部に対して、架橋剤としてトリメチロールプロパン変性トリレンジイソシアネート（日本ポリウレタン社製、コロネートＬ）が１質量部（固形分換算）添加され、粘着剤組成物溶液（固形分濃度１３質量％）が得られた。この粘着剤組成物溶液は、ポリエチレンテレフタレートフィルムの片面がシリコーン系剥離剤で剥離処理された剥離フィルム（リンテック社製ＳＰ−ＰＥＴ２５１１３０、厚み２５μｍ）の剥離処理面に、加工速度５０ｍ／ｍｉｎで乾燥後の厚みが２μｍになるようにグラビア印刷された。この後、樹脂フィルム（東レ社製ＥＴ２Ｆ５１Ｌ、厚み２μｍ）と、粘着剤層とがニップ圧１００Ｎ／ｃｍ２にて貼り合わされて、粘着フィルムが作製され、さらに、粘着フィルムが１５０Ｎ／ｍの張力で巻き取られた。
【０１０２】
＜着色粘着フィルムの製造＞
粘着フィルムの粘着剤層とは反対面の樹脂フィルム面上に、着色層塗布液がグラビア印刷された。この後、着色層が乾燥され、厚みが３０μｍの着色粘着フィルムが作製された。
【０１０３】
＜厚みの測定＞
着色粘着フィルムの各層の機械的な厚み測定は、膜厚計（Nikon社製膜厚計デジマイクロMH-15M）によって測定される。
【０１０４】
＜剥離剤の転移量の測定＞
粘着フィルムがロール状にて５０℃の環境温度にて２日間保管された。保管後のロールの芯部から長尺方向ＤＬに１０ｍの箇所の粘着フィルムの樹脂フィルムの表面（粘着剤層とは反対面）の剥離剤量（ｃｐｓ）が蛍光Ｘ線装置（波長分散卓上型蛍光Ｘ線分析計；リガク社製，商品名「Ｍｉｎｉ−Ｚ」）によって測定された。
【０１０５】
＜全光線透過率の測定＞
着色粘着テープの各層の全光線透過率の測定には、光透過率測定器（日本電色社製ＮＤＨ5000）が用いられる。
【０１０６】
＜全光線透過率の最大値の測定＞
長尺方向ＤＬが６０００ｍ、幅方向ＤＷが１３００ｍｍの着色粘着テープにおいて、幅方向ＤＷに両側から１００ｍｍのピッチで１２点、長尺方向ＤＬに１０００ｍのピッチで７点が選択される（計８４点）。全光線透過率の最大値は、この８４点から、最大値からの５点を除いた７９点における全光線透過率中の最大値とする。なお、長尺方向６０００ｍ、幅方向１３００ｍｍより面積が小さい着色粘着テープから全光線透過率を求める場合の測定点の選択は、上記頻度により選択すればよい。
【０１０７】
＜粘着フィルムの弛み及び皺の検出＞
粘着フィルムに張力を掛けた際、目視で弛み及び皺が確認されない場合は◎とした。粘着フィルムに張力を掛けた際、目視で弛み及び皺が若干確認されるが実使用上問題ないレベルの場合は〇とした。粘着フィルムに張力を掛けた際、目視で弛み及び皺が確認され実使用上問題がある場合は×とした。
【０１０８】
＜粘着フィルムの巻きずれの検出＞
粘着フィルムを巻き取った際のロール断面を目視で確認し、巻きずれが発生していない場合は◎とした。若干巻きずれが発生しているが実使用上問題ないレベルの場合は〇とした。巻きずれが発生し、実使用上問題がある場合は×とした。
【０１０９】
＜粘着フィルムのラミネート不良の検出＞
粘着剤層付き剥離フィルムと樹脂フィルムを貼り合わせた際、樹脂フィルムと粘着剤層界面において気泡の抱込みが発生しなかった場合は◎とした。若干気泡の抱込みは確認されたが実使用上問題ないレベルの場合は〇とした。樹脂フィルムと粘着剤層界面において気泡の抱込みが発生し、実使用上問題がある場合は×とした。
【０１１０】
＜樹脂フィルム上の着色層のはじきの検出＞
粘着フィルムの樹脂フィルム表面に着色層を形成後、目視にて着色層のはじきの有無を確認した。はじきが発生していない場合は◎、若干はじきが確認されたが実使用上問題ないレベルの場合は○、はじきが発生していた場合は×とした。
【０１１１】
＜着色粘着テープ付グラファイトシートの見栄え評価＞
着色粘着テープをＳｅｌｅｎ製グラファイトシート「ＳＧＳ−０２５−ＡＰＨ」に貼付後、目視により、斑があるか否かが判断された。斑がない場合が◎、若干斑が確認されたが実使用上問題ないレベルの場合は○、斑が確認された場合が×で示されている。
【０１１２】
＜製造歩留まりの算出＞
投入原材料から計算される生産可能数量（理論値）に対して、実際に良品が生産された数量を百分率にて表した。良品が９０％以上で製造された場合が◎、良品が８０〜９０％未満で製造された場合が〇、良品が８０％未満で製造された場合が×とした。
【０１１３】
実施例１では、製造工程における条件が全て最適値の範囲内にある。例えば、剥離フィルムの速度は、５０ｍ／ｍｉｎに設定され、粘着フィルムの速度は５０ｍ／ｍｉｎに設定され、粘着フィルムの巻取張力が１５０Ｎ／ｍに設定され、粘着フィルム作製時のニップ圧が１００Ｎ／ｃｍ２に設定された。
【０１１４】
また、実施例１では、粘着剤層の厚み、剥離フィルムの厚み、樹脂フィルムの厚み、着色層の厚み、着色粘着テープの厚み及び全光線透過率が全て最適値の範囲内にある。例えば、粘着剤層の厚みは、２μｍであり、剥離フィルムの厚みは、２５μｍであり、樹脂フィルムの厚みは、２μｍであり、着色層の厚みは、１μｍであり、着色粘着テープの厚みは、５μｍであり、着色粘着テープの全光線透過率は、４．３％である。着色粘着フィルムの厚みは、３０μｍである。また、実施例１では、剥離剤の転移量が３０ｃｐｓになった。
【０１１５】
［実施例２］
【０１１６】
実施例２では、剥離フィルムの厚みが３８μｍであり、着色粘着フィルムの厚みが４３μｍであり、着色粘着テープの全光線透過率は、３．９％である。また、粘着フィルムの巻取張力が３００Ｎ／ｍに設定され、粘着フィルム作製時のニップ圧が１７０Ｎ／ｃｍ２に設定された。これら以外は、実施例１と同じである。また、実施例２では、剥離剤の転移量が５５ｃｐｓになった。
【０１１７】
［実施例３］
【０１１８】
実施例３では、剥離フィルムの厚みが５０μｍであり、着色粘着フィルムの厚みが５５μｍであり、着色粘着テープの全光線透過率は、３．８％である。また、粘着フィルムの巻取張力が３７０Ｎ／ｍに設定され、粘着フィルム作製時のニップ圧が２３０Ｎ／ｃｍ２に設定された。これら以外は、実施例１と同じである。また、実施例３では、剥離剤の転移量が７０ｃｐｓになった。
【０１１９】
［実施例４］
【０１２０】
実施例４では、剥離フィルムの厚みが２５μｍであり、粘着フィルムの巻取張力が５５Ｎ／ｍに設定され、粘着フィルム作製時のニップ圧が２５０Ｎ／ｃｍ２に設定された。また、着色粘着テープの全光線透過率は、４．１％である。これら以外は、実施例１と同じである。また、実施例４では剥離剤の転移量が２０ｃｐｓになった。
［実施例５］
【０１２１】
実施例５では、粘着フィルム作製時のニップ圧が６０Ｎ／ｃｍ２に設定された。また、剥離フィルムの厚みが７５μｍであり、着色粘着フィルムの厚みが８０μｍであり、着色粘着テープの全光線透過率は、４．０％である。これら以外は、実施例１と同じである。また、実施例５では、剥離剤の転移量が２５ｃｐｓである。
【０１２２】
実施例１〜５においては、いずれも粘着フィルムの弛み、皺、粘着フィルムの巻きずれ、粘着フィルムのラミネート不良が「◎」になった。着色層のはじきについては、実施例１、４、５においては、いずれも「◎」になり、実施例２、３において、「○」になった。また、実施例１〜５においては、着色粘着テープの全光線透過率の最大値が１０％以下になり、着色フィルム基材がグラファイトシートの外観上の斑を目立たなくさせる遮蔽基材として機能する。また、実施例１〜５においては、剥離剤の転移量が８０ｃｐｓ以下に抑えられた。実施例１〜５においては、いずれも着色粘着テープ付のグラファイトシート見栄えが「◎」になった。そして、実施例１〜５においては、いずれも着色粘着フィルムの製造歩留まりが９０％以上「◎」になった。
【０１２３】
［実施例６］
実施例６では、粘着フィルムの巻取張力が５０Ｎ／ｍよりも低く、４５Ｎ／ｍに設定された。これ以外の製造条件は、実施例１と同じである。
【０１２４】
実施例６では、剥離剤の転移量が２０ｃｐｓに抑えられ、粘着フィルムの弛み、皺、巻きずれ及びラミネート不良が「○」になり、着色層のはじきが「◎」になった。また、実施例６では、着色粘着テープの全光線透過率の最大値が１０％を超え、２８．６％になったものの、着色粘着テープ付のグラファイトシート見栄えが「○」になり、製造歩留まりが「○」になった。
【０１２５】
［実施例７］
実施例７では、粘着フィルムの巻取張力が４００Ｎ／ｍよりも高く、４２０Ｎ／ｍに設定された。これ以外の製造条件は、実施例１と同じである。
【０１２６】
実施例７では、剥離剤の転移量が８０ｃｐｓを超え、９０ｃｐｓになった。実施例７では、粘着フィルムの弛み、皺、巻きずれ、ラミネート不良及び着色層のはじきが「○」になった。実施例７では、着色粘着テープの全光線透過率の最大値が１０％を超え、９９．７％になったものの、着色粘着テープ付のグラファイトシート見栄えが「○」になり、製造歩留まりが「○」になった。
【０１２７】
［実施例８］
実施例８では、粘着フィルム作製時のニップ圧が５０Ｎ／ｃｍ２よりも低く、４５Ｎ／ｃｍ２に設定された。これ以外の製造条件は、実施例１と同じである。
【０１２８】
実施例８では、剥離剤の転移量が３０ｃｐｓに抑えられ、粘着フィルムの弛み、皺、巻きずれ及びラミネート不良が「○」になり、着色層のはじきが「◎」になった。また、実施例８では、着色粘着テープの全光線透過率の最大値が１０％を超え、３６．２％になったものの、着色粘着テープ付のグラファイトシート見栄えが「○」になり、製造歩留まりが「○」になった。
【０１２９】
［実施例９］
実施例９では、粘着フィルム作製時のニップ圧が３００Ｎ／ｃｍ２よりも高く、３１０Ｎ／ｃｍ２に設定された。これ以外の製造条件は、同じである。
【０１３０】
実施例９では、剥離剤の転移量が３０ｃｐｓに抑えられ、粘着フィルムの弛み、皺、巻きずれ及びラミネート不良が「○」になり、着色層のはじきが「◎」になった。また、実施例９では、着色粘着テープの全光線透過率の最大値が１０％を超え、１５．５％になったものの、実施例９では、着色粘着テープ付のグラファイトシート見栄えが「○」になり、製造歩留まりが「○」になった。
【０１３１】
［比較例１］
一方、比較例１では、粘着フィルムの巻取張力が３７０Ｎ／ｍであり、粘着フィルムの作成時のニップ圧が１０Ｎ／ｃｍ２に設定された。これら以外の製造条件は、実施例１と同じである。但し、比較例１では、厚みが２０μｍよりも低い１５μｍの剥離フィルムが使用された。着色粘着フィルムの厚みは、２０μｍである。
【０１３２】
比較例１では、剥離剤の転移量が５５ｃｐｓに抑えられ、着色層のはじきが「○」になったものの、粘着フィルムの弛み、皺、巻きずれ及びラミネート不良が「×」となった。また、比較例１では、着色粘着テープの全光線透過率の最大値が１０％を超え、１３．５％になった。比較例１では、着色粘着テープ付のグラファイトシート見栄えが「×」になり、製造歩留まりが「×」になった。
【０１３３】
［比較例２］
比較例２では、粘着フィルムの巻取張力が５０Ｎ／ｍよりも低く、４５Ｎ／ｍに設定された。これ以外の製造条件は、実施例１と同じである。さらに、比較例２では、厚みが８０μｍよりも大きい８５μｍの剥離フィルムが使用された。着色粘着フィルムの厚みは、９０μｍである。
【０１３４】
比較例２では、剥離剤の転移量が２０ｃｐｓに抑えられ、着色層のはじきが「◎」になり、厚みを厚くさせた剥離フィルムが用いられたものの、粘着フィルムの弛み、皺、巻きずれ及びラミネート不良が「×」となった。また、比較例２では、着色粘着テープの全光線透過率の最大値が１０％を超え、２２．３％になった。比較例２では、着色粘着テープ付のグラファイトシート見栄えが「×」になり、製造歩留まりが「×」になった。
【０１３５】
以上、本発明の実施形態について説明したが、本発明は上述の実施形態にのみ限定されるものではなく種々変更を加え得ることは勿論である。
【符号の説明】
【０１３６】
１…着色粘着テープ
２…着色粘着フィルム
１１…樹脂フィルム
１１ｕ…上面
１２…着色層
２０…粘着剤層
３０、３１…剥離フィルム
３０ｕ…上面
３０ｄ…裏面
３２…プロテクト用樹脂フィルム
３２ｔ…タブ部
３２ｐ…ミシン目
３３…粘着剤層
３５…プロテクトテープ
４０…剥離剤層
４０ａ、４０ｂ…剥離剤
５１…粘着剤層付き剥離フィルム
５２…粘着フィルム
６０…放熱用シート
１００…グラファイトシート
１０１…両面テープ
１０１ａ、１０１ｃ…粘着剤層
１０１ｂ…樹脂フィルム
１０２…筐体
２００…製造装置
２１０…巻取駆動部
２１１…巻出ロール
２２０…塗布機構
２２０ａ、２２０ｂ…ロール
２２０ｃ…グラビアパン
２３０…乾燥室
２４０…貼付機構
２４０ａ…巻出ロール
２４０ｂ、２４０ｃ…ロール
２５０ａ、２５０ｂ、２５０ｃ、２５０ｄ…ガイドロール
３００…製造装置
３１０…巻取ロール（巻取駆動部）
３１１…巻出ロール
３２０…塗布機構
３２０ａ、３２０ｂ…ロール
３２０ｃ…グラビアパン
３３０…乾燥室
３５０ａ、３５０ｃ、３５０ｂ…ガイドロール
３６０…前処理機構
【図１】
2018104639.tif 000005
【図２】
2018104639.tif 000006
【図３】
2018104639.tif 000007
【図４】
2018104639.tif 000008
【図５】
2018104639.tif 000009
【図６】
2018104639.tif 000010
【図７】
2018104639.tif 000011